(57)【特許請求の範囲】
【請求項１】
収縮状態でプラントの開口部に出し入れ可能な大きさに形成され、内部に外部と密閉された空洞が形成され、該空洞に流体を注入しまたは該空洞から流体を排出することにより前記開口部の径方向に膨張しまたは収縮する弾性体で構成された本体部と、
前記本体部の上部に該本体部の径方向外側に張り出して形成され、該本体部を前記開口部内に収容した状態で前記開口部の口径よりも外側に張り出すように形成された支持部と、
前記本体部の空洞に連通し、該本体部を前記開口部に収容した状態で該本体部の空洞に外部から流体を注入しまたは該空洞から外部に流体を排出する流体注入排出口と
を具備し、
前記支持部が前記本体部の上面に取り付けられた、前記開口部よりも大径の板状部材で構成され、
前記本体部を収縮した状態で該本体部を前記開口部内に収容し、前記支持部を前記開口部の入口端面に当接させて該本体部を前記開口部内の入口付近に係止し、この状態で前記流体注入排出口から前記空洞に流体を注入することにより、前記本体部が前記開口部の径方向に膨張して、該本体部の外周面が該開口部の内壁面に密着して該開口部を塞ぎかつ該本体部が該空洞内の圧力により前記支持部を押し上げるように作用し、該流体注入排出口から前記空洞の流体を外部に排出することにより、前記本体部が前記開口部の径方向に収縮し該開口部の内壁面から離れて、該開口部から前記本体部を取り出し可能に構成されているプラントの開口部の異物混入防止ストッパ。
【請求項２】
前記本体部が柱状に形成された布引ゴム製の袋体で構成されている請求項１記載のプラントの開口部の異物混入防止ストッパ。
【請求項３】
前記本体部の空洞の軸方向上下両端面間に、該空洞の軸方向の膨張を規制する規制部材が連結されている請求項１または２記載のプラントの開口部の異物混入防止ストッパ。
【請求項４】
前記規制部材が布体で構成されている請求項３記載のプラントの開口部の異物混入防止ストッパ。
【請求項５】
前記支持部の上面に取っ手が取り付けられている請求項１から４のいずれかに記載のプラントの開口部の異物混入防止ストッパ。
【請求項６】
前記流体注入排出口が前記空洞に連通し前記支持部の上方に突出しているバルブ付ノズル体で構成されている請求項１から５のいずれかに記載のプラントの開口部の異物混入防止ストッパ。
【発明の詳細な説明】
【０００１】
【発明の属する技術分野】
この発明は、発電設備その他各種プラントの工事、点検、修理等をする際に、開口部からごみ、工具、人等が入り込むのを防止するための異物混入防止ストッパに関する。
【０００２】
【従来の技術】
発電所における蒸気タービンの分解点検は、蒸気タービンの車室の上半体を開けてローターを取り出した状態で、これら車室の上半体、下半体およびローターのそれぞれについて行われる。この場合、車室の下半体の内壁面には蒸気の排出口が多数開口しており、作業者が車室の下半体内で点検作業をすると、ごみや工具を開口内に落としたり、大きな開口の場合には作業者自身が開口内に落ちる危険性がある。また、タービンにつながる配管の点検においても、配管の途中の部分を開けて作業すると、その空いた部分からごみ等が配管内部に吸い込まれることがある。そこで、これらタービンや配管の分解点検を行う時には、開口部を塞いで、異物が内部に入らないようにする必要がある。
【０００３】
従来においては、開口部に金属板による蓋を被せてガムテープでその周囲を留めて、点検作業を行うようにしていた。
【０００４】
【発明が解決しようとする課題】
金属板による蓋は重いので持ち運び、着脱等の取り扱いが大変であった。また、金属板を外した時にガムテープの糊が開口部の入口端面に残ってしまい、除去するのに手間がかかっていた。
【０００５】
この発明は前記従来の技術における問題点を解決して、取り扱いが容易でしかもガムテープを使わずに開口部に装着して塞ぐことができる異物混入防止ストッパを提供しようとするものである。
【０００６】
【課題を解決するための手段】
この発明は、収縮状態でプラントの開口部に出し入れ可能な大きさに形成され、内部に外部と密閉された空洞が形成され、該空洞に流体を注入しまたは該空洞から流体を排出することにより前記開口部の径方向に膨張しまたは収縮する弾性体で構成された本体部と、前記本体部の上部に該本体部の径方向外側に張り出して形成され、該本体部を前記開口部内に収容した状態で前記開口部の口径よりも外側に張り出すように形成された支持部と、前記本体部の空洞に連通し、該本体部を前記開口部に収容した状態で該本体部の空洞に外部から流体を注入しまたは該空洞から外部に流体を排出する流体注入排出口とを具備し、前記支持部が前記本体部の上面に取り付けられた、前記開口部よりも大径の板状部材で構成され、前記本体部を収縮した状態で該本体部を前記開口部内に収容し、前記支持部を前記開口部の入口端面に当接させて該本体部を前記開口部内の入口付近に係止し、この状態で前記流体注入排出口から前記空洞に流体を注入することにより、前記本体部が前記開口部の径方向に膨張して、該本体部の外周面が該開口部の内壁面に密着して該開口部を塞ぎかつ該本体部が該空洞内の圧力により前記支持部を押し上げるように作用し、該流体注入排出口から前記空洞の流体を外部に排出することにより、前記本体部が前記開口部の径方向に収縮し該開口部の内壁面から離れて、該開口部から前記本体部を取り出し可能に構成されているものである。
【０００７】
この発明によれば、本体部が、内部に空洞が形成されたゴム等の弾性体で作られているので、従来の金属板による蓋に比べて軽量に構成することができ、持ち運び、着脱等の取り扱いが容易である。また、ガムテープを使わずに開口部に装着できる。
【０００８】
【発明の実施の形態】
以下この発明の実施の形態を説明する。図１において、異物混入防止ストッパ１０は、本体部１２と支持部１４を具えている。本体部１２は厚さが１ｍｍ位のシート状のナイロン布引クロロブレンゴム等で円柱の袋体に形成され、内部に空洞１６が形成されている。支持部１４は厚さが３〜５ｍｍ位の板状のナイロン布引クロロブレンゴム等で円板状に作られている。本体部１２の上面は支持部１４の下面に中心軸を一致させて接着剤等で接合されている。支持部１４の外周部は本体部１２よりも外側に張り出して張り出し部１４ａを形成している。空洞１６内には、該空洞１６の内径の１／２位の半径方向位置に、規制部材として、ナイロン等による細幅帯状の吊り布１８が該空洞１６の中心軸の周りに等間隔に複数本（図１の例では８本）垂直に吊り下げられ、該空洞１６の上下両端面間に連結されている。吊り布１８の上下方向の長さは、空洞１６内が大気圧状態の時の該空洞１６の上下方向の高さ程度である。
【０００９】
支持部１４の上面には流体注入排出口としてクロロブレンゴム等による空気出入用ノズル２０が取り付けられている。ノズル２０の下端部は支持部１４を貫通して空洞１６内に連通している。ノズル２０の先端の注入排出口には、自動車のタイヤのバルブと同様のバルブ２６が取り付けられている。支持部１４の上面中央部および上面外周部寄りの位置ににはナイロン等の布製の取っ手２２が取り付けられている。
【００１０】
図１の異物混入防止ストッパ１０の使用状態を図２に示す。開口部２４は例えば蒸気タービンの車室の下半体に形成された蒸気の排出口である。異物混入防止ストッパ１０を開口部２４に装着するときは、空洞１６内の空気を抜いて、取っ手２２を持って図２（ａ）に示すように、開口部２４内に本体部１２を収容する（本体部１２の外径は開口部２４の口径よりもやや小さく作られている。）。このとき、支持部１４の外側の張り出し部１４ａの下面が開口部２４の出口端面２４ｂに当接して、異物混入防止ストッパ１０は係止される。
【００１１】
この状態で、ノズル２０から空洞１６に空気を注入すると、本体部１２は膨らんで、図２（ｂ）に示す状態となる。すなわち、本体部１２の外周面１２ａは開口部２４の内壁面２４ａに密着して、空気圧により開口部２４を塞ぐ。この状態で蒸気タービンの車室の下半体等の点検を行うことができる。本体部１２が膨らむことにより、支持部１４にも上方に押し上げる空気圧が作用するので、支持部１４の上に人が乗って作業しても大丈夫である。また、空洞１６内にはその上下両端面間に吊り布１８が連結されているので、本体部１２は上下方向への膨張が規制され、その分径方向への膨張力が増大して、本体部１２の外周面１２ａと開口部２４の内壁面２４ａとの密着力が強力になり、支持部１４に上方から加わる荷重に対する支持力が向上する。
【００１２】
点検終了後はノズル２０から空気を抜くことにより、本体部１２の外周面１２ａと開口部２４の内壁面２４ａとの密着が外れ、取っ手２２を持って異物混入防止ストッパ１０を引き上げて外すことができる。
【００１３】
また、不使用時は、図３に示すように、空洞１６内の空気を十分抜くことにより、本体部１２を上下方向に圧縮して容積を小さくすることができ（吊り布１８は布製なので圧縮を阻害しない。）、収納や運搬が楽になる。なお、本体部１２の外周面１２ａを蛇腹構造にして、その軸方向に短縮しやすくすることもできる。
【００１４】
なお、前記実施の形態では支持部１４を板状に構成したが、これに限らない。すなわち、開口部の入口端面に当接して本体部を開口部内の入口付近に係止できる構造であればよい。また、支持部はゴム等の弾性体に限らず、プラスチック等で構成することもできる。また、本体部１２が単独で外部と密閉された空洞を構成するのに代えて、本体部１２の上面を開放し、該開放端に支持部１４を気密に接合して、外部と密閉された空洞を構成することもできる。
【００１５】
また、この発明の異物混入防止用ストッパは、配管等の開口部を塞ぐのにも用いることができる。また、発電設備以外のプラントにも用いることができる。
【図面の簡単な説明】
【図１】  この発明の実施の形態を示す平面図および一部断面正面図である。
【図２】  図１の異物混入防止ストッパの使用状態を示す正面図である。
【図３】  図１の異物混入防止ストッパの不使用時の状態を示す正面図である。
【符号の説明】
１０  異物混入防止ストッパ
１２  本体部
１２ａ  本体部の外周面
１４  支持部
１６  空洞
１８  吊り布（規制部材）
２０  空気出入用ノズル（流体注入排出口、バルブ付ノズル体）
２２  取っ手
２４  開口部
２４ａ  開口部の内壁面
２６バルブ
【図１】
0003880215.tif 000002
【図２】
0003880215.tif 000003
【図３】
0003880215.tif 000004